(57)【要約】【課題】  優れた難着雪性を有するとともに、トラッキング性が劣ることなく、また風の抵抗を抑えることができる屋外用被覆電線を提供する。【解決手段】  屋外用被覆電線１は、導体２が絶縁体で被覆されて最外被覆層３が形成され、この最外被覆層３の表面に、撥水処理をした部分４と、親水処理をした部分５とが混在して形成されている。【選択図】  図１
2005038690.tif 000002
【特許請求の範囲】
【請求項１】
導体が絶縁体によって被覆されている屋外用被覆電線において、
最外被覆層の表面に、撥水処理をした部分と、親水処理をした部分とを形成したことを特徴とする屋外用被覆電線。
【請求項２】
前記撥水処理をした部分を、前記最外被覆層の全表面積の５０％以上形成したことを特徴とする請求項１に記載の屋外用被覆電線。
【請求項３】
前記親水処理をした部分を、等間隔で複数箇所形成したことを特徴とする請求項１又は２に記載の屋外用被覆電線。
【発明の詳細な説明】
【技術分野】
【０００１】
本発明は、優れた難着雪性を有するとともに、トラッキング性が劣ることなくまた風の抵抗を抑えることができる屋外用被覆電線に関する。
【背景技術】
【０００２】
屋外に布設された架空電線に雪が付着すると、付着した雪が筒状に発達して筒雪となり、このような状態となったときの雪の重みにより、電線が切れたり、電線を支える電線支持物が倒壊したりする危険性がある。このような着雪が原因で起こる事故を防止するため、従来、導体が絶縁体によって被覆されている屋外用被覆電線として、最外被覆層の表面に長手方向に沿って突起を設けたものが知られている（例えば、特許文献１参照。）。
【０００３】
このような構成の屋外用被覆電線においては、次第に前記突起の部分に雪が積もり、ある程度まで積もったときに積もった雪の重みで屋外用被覆電線が回転し、これによって雪が落下して屋外用被覆電線に付着した雪が除雪され、筒雪にまで成長することが防止されるようになっている。
【特許文献１】特開平５−２８８４３号公報（第２頁、第４図）
【発明の開示】
【発明が解決しようとする課題】
【０００４】
しかしながら、前記屋外用被覆電線は、最外被覆層の表面に突起が設けられているため、トラッキング性が劣るといった問題がある。すなわち、屋外用被覆電線は長期間に亘り風雨に曝され、特に海岸付近では海風等により海水からの塩分が、屋外用被覆電線の最外被覆層の表面に付着する。このような状態で屋外用被覆電線の最外被覆層の表面に降雨等による水分が付着すると漏洩電流が流れ、ジュール熱に起因する付着水分の蒸発により漏洩電流路が遮断されて放電が生じ、この放電により、最外被覆層の表面が炭化し、この炭化の累積的発生によって導電路が形成されるトラッキング現象が生じる。特に、塩害地区に設置されている屋外用被覆電線は、表面に付着した塩分と水分の影響により、表面にトラッキング現象（放電現象）が生じ、その放電現象によって最外被覆層の表面が浸食される。前記最外被覆層の表面に突起が設けられている屋外用被覆電線にあっては、突起の部分に塩分が付着しやすいことから、上記トラッキング現象が発生しやすい。トラッキング現象が発生すると、絶縁破壊を招来し、電線寿命サイクルが短くなり定期交換の頻度が多くなるという問題がある。
【０００５】
また、前記最外被覆層に突起を設けた屋外用被覆電線は、突起が設けられている分、風の抵抗が大きくなり、これによって断線したり、支持物が倒壊するおそれもある。
【０００６】
本発明の目的は、優れた難着雪性を有するとともに、トラッキング性が劣ることなく、また風の抵抗を抑えることができる屋外用被覆電線を提供することにある。
【課題を解決するための手段】
【０００７】
上記目的を達成するために、請求項１に記載の発明は、導体が絶縁体によって被覆されている屋外用被覆電線において、最外被覆層の表面に、撥水処理をした部分と、親水処理をした部分とを形成したことを特徴とする。
【０００８】
このような請求項１に記載の本発明によれば、前記最外被覆層の表面の前記撥水処理をした部分に付着した雪は、該撥水処理をした部分を滑って最外被覆層の表面上を移動する。そして、このように撥水処理をした部分を滑って移動してきた雪は、前記親水処理をした部分にまで至るとここで停止する。そして、次第に親水処理をした部分に雪が集まり、ある程度まで雪が溜まると、溜まった雪は、自重により或いは最外被覆層に付着した雪が撥水処理をした部分から滑って移動してきたときの慣性力が誘因となり、屋外用被覆電線の表面上から落下する。これにより、屋外用被覆電線表面に付着した雪が筒雪にまで発達することはなく、着雪の重みにより、屋外用被覆電線が切れるといったことや、電線支持物が倒壊するといったことを防止することができる。
【０００９】
また、最外被覆層に突起を設けるのではなく、上記のような作用により表面に付着した雪が除雪されるので、突起の部分に塩分が付着しやすくトラッキング現象が発生しやすいという従来の問題点と、突起によって風の抵抗が大きくなるという従来の問題点とを解決することができる。
【００１０】
すなわち、本発明に係る屋外用被覆電線によれば、優れた難着雪性を有するとともに、トラッキング性が劣ることなく、また風の抵抗を抑えることができる。  
なお、本発明の屋外用被覆電線には、ケーブルも含まれるものとする。
【００１１】
請求項２に記載の発明は、前記撥水処理をした部分を、前記最外被覆層の全表面積の５０％以上形成したことを特徴とする。
【００１２】
このような請求項２に記載の本発明によれば、請求項１に記載の発明と同様、撥水処理をした部分を雪が滑って移動し、その雪が親水処理をした部分に溜まって落下することにより除雪がされるが、雪が滑る部分である撥水処理をした部分が、最外被覆層の全表面積の５０％以上形成されているので、このような作用がより効果的になされる。したがって、優れた難着雪性を得ることができる。
【００１３】
請求項３に記載の発明は、前記親水処理をした部分を、等間隔で複数箇所形成したことを特徴とする。
【００１４】
このような請求項３に記載の本発明によれば、請求項１に記載の発明と同様、撥水処理をした部分を雪が滑って移動し、その雪が親水処理をした部分に溜まって落下することにより除雪がされるが、撥水処理をした部分を滑って移動してきた雪が溜まる部分である親水処理をした部分が、等間隔で複数箇所形成されているので、このような作用がより効果的になされる。したがって、優れた難着雪性を得ることができる。
【発明の効果】
【００１５】
本発明によれば、優れた難着雪性を有するとともに、トラッキング性が劣ることなく、また風の抵抗を抑えることができる。
【発明を実施するための最良の形態】
【００１６】
以下、図面を参照して本発明に係る屋外用被覆電線の実施の形態の一例について説明する。  
図１は本発明に係る屋外用被覆電線の実施の形態の一例を示す図であり、（ａ）は断面図、（ｂ）は側面図である。
【００１７】
図において、本例の屋外用被覆電線１は、導体２が絶縁体で被覆され最外被覆層３が形成されている。
【００１８】
最外被覆層３の表面には、撥水処理をした部分４と、親水処理をした部分５（図において点が表されている部分）とが混在して形成されている。具体的には、撥水処理をした部分４と親水処理をした部分５は、以下のようにして形成される。
【００１９】
すなわち、最外被覆層３を形成する絶縁体に、シリコーン油、シリコーン樹脂、ワックス類等の非ハロゲン系材料や、フッ素系樹脂を配合する。このようにして形成された最外被覆層３の表面は、撥水性を有する。そして、このように撥水性を有する最外被覆層３の表面の一部分に、親水性シリカ、界面活性剤などの親水性材料や、酸化チタンなどで親水処理をする（例えば、最外被覆層３を形成する絶縁体に、前記親水性の材料を配合することにより、親水処理がされる）。これにより、屋外用被覆電線１の全長に渡って、最外被覆層３の表面に、親水処理をした部分５が形成されるとともに、親水処理をした部分５以外の部分に撥水処理をした部分４が形成される。そして、このように撥水処理をした部分４と親水処理をした部分５とが形成された最外被覆層３の表面は、目視で確認できる突起は存在せず、ほぼ平滑となっている（図１においては、便宜上親水処理をした部分５を突出させて表してある）。
【００２０】
本例では、親水処理をした部分５は、帯状のものが等間隔で２箇所形成されている。親水処理をした部分５の形成パターンは、このようなものに限られるものではないが、親水処理をした部分５は、撥水処理をした部分４の表面積が最外被覆層３の全表面積の５０％以上となるように形成することが望ましい。その理由は、本例の屋外用被覆電線１においては、撥水処理をした部分４を雪が滑って移動し、その雪が親水処理をした部分５に溜まって落下するという作用により除雪がなされるため、雪が滑る部分である撥水処理をした部分４の表面積を、最外被覆層３の全表面積の５０％以上とすることにより、このような作用が効果的になされるからである。
【００２１】
次に、以上のような本例の屋外用被覆電線１における作用について詳しく説明する。  
本例の屋外用被覆電線１においては、最外被覆層３の表面の撥水処理をした部分４に付着した雪は、該撥水処理をした部分４を滑って最外被覆層３の表面上を移動する。そして、このように撥水処理をした部分４を滑って移動してきた雪は、親水処理をした部分５にまで至るとここで停止する。そして、次第に親水処理をした部分５に雪が集まり、ある程度まで雪が溜まると、溜まった雪は自重により或いは雪が撥水処理をした部分４から滑って移動してきた時の慣性力が誘因となり、屋外用被覆電線１の表面上から落下する。本例においては、親水処理をした部分５が等間隔で２箇所形成され、撥水処理をした部分４が最外被覆層３の全表面積の５０％以上となっているので、より効果的にこのような作用によって除雪がなされる。以上のようなことから、屋外用被覆電線１の表面に付着した雪が筒雪にまで発達することはなく、着雪の重みにより、屋外用被覆電線１が切れるといったことや、電線支持物が倒壊するといったことを防止することができる。
【００２２】
また、本例の屋外用被覆電線１においては、最外被覆層３に突起を設けるのではなく、上記のような作用により表面に付着した雪を除雪する。このようなことから、前記のように最外被覆層３は平滑となっており、突起の部分に塩分が付着しやすくトラッキング現象が発生しやすいという従来の問題点と、突起によって風の抵抗が大きくなるという従来の問題点とを解決することができる。
【００２３】
すなわち、本例の屋外用被覆電線１によれば、優れた難着雪性を有するとともに、トラッキング性が劣ることなく、また風の抵抗を抑えることができる。
【００２４】
なお、最外被覆層３の表面に、撥水処理をした部分４と親水処理をした部分５とを形成する方法は、次のようなものであってもよい。すなわち、最外被覆層３を形成する絶縁体に、シリコーン油、シリコーン樹脂、ワックス類等の非ハロゲン系材料や、フッ素系樹脂を配合するのではなく、図２に示すように、最外被覆層３の全表面に、シリコーン油、シリコーン樹脂、ワックス類等の非ハロゲン系材料や、フッ素系樹脂を塗布することにより、先ず撥水層６を形成する。そして、その上の一部分に、親水性シリカ、界面活性剤などの親水性材料や、酸化チタンなどで親水処理をする。これにより、最外被覆層３の表面に、親水処理をした部分５が形成されるとともに、親水処理をした部分５以外の部分に撥水処理をした部分４が形成される。
【００２５】
また、図３に示すように、最外被覆層３の表面の一部分に、シリコーン油、シリコーン樹脂、ワックス類等の非ハロゲン系材料や、フッ素系樹脂を塗布して撥水層６を形成することにより、撥水処理をした部分４を形成するとともに、最外被覆層３の表面のうちの撥水層６を形成した部分以外の部分に、親水性シリカ、界面活性剤などの親水性材料や、酸化チタンなどで親水処理をすることにより、最外被覆層３の表面に、親水処理をした部分５を形成してもよい。
【００２６】
また、本発明にあっては、親水処理をした部分５の形成パターンは上記実施の形態で説明したものに限られるものではない。例えば、以下のようなものが考えられる。
【００２７】
すなわち、親水処理をした部分５は、図４に示すように、上記実施の形態のものよりも幅の狭い帯状のものを周方向に等間隔で複数条形成してもよい。
【００２８】
また、図５に示すように、親水処理をした部分５は、電線長手方向に沿って短冊形に形成したものを所定の間隔を空けて電線長手方向に並べ（すなわち破線状となる）、これを屋外用被覆電線１の外周面の全周に渡って等間隔で複数形成してもよい。この場合、短冊形の親水処理をした部分５は、周方向の隣同士で電線長手方向にずらして配置し、撥水処理をした部分４のみが屋外用被覆電線１の外周面の全周に渡って形成されている部分がないようにすることが望ましい。これにより、本発明における除雪効果を効果的なものとすることができる。
【００２９】
また、図６に示すように、親水処理をした部分５は、円形状のものを最外被覆層３の表面の全面に渡って点在させるようにして形成してもよい。
【００３０】
さらに、図７に示すように、親水処理をした部分５は、帯状のものを螺旋状に形成したものであってもよい。
【００３１】
なお、上記実施の形態で説明した屋外用被覆電線１は、導体２の上に絶縁体で被覆した被覆層（最外被覆層３）が１層だけとなっているが、本発明はこのような構成のものに限られるわけではなく、被覆層が複数層形成されたケーブルについても同様に適用される。すなわち、このような屋外用被覆電線の最外被覆層に該当する最外層シースの表面に、撥水処理をした部分と、親水処理をした部分とを形成する。
【図面の簡単な説明】
【００３２】
【図１】本発明に係る屋外用被覆電線の実施の形態の一例を示す図であり、（ａ）は断面図、（ｂ）は側面図である。
【図２】図１に示す屋外用被覆電線とは異なる方法で撥水処理をした部分と親水処理をした部分とを最外被覆層に形成した屋外用被覆電線の断面図である。
【図３】図１に示す屋外用被覆電線とは異なる方法で撥水処理をした部分と親水処理をした部分とを最外被覆層に形成した屋外用被覆電線の断面図である。
【図４】図１に示す屋外用被覆電線とは異なるパターンで親水処理をした部分を形成した屋外用被覆電線の側面図である。
【図５】図１に示す屋外用被覆電線とは異なるパターンで親水処理をした部分を形成した屋外用被覆電線の側面図。
【図６】図１に示す屋外用被覆電線とは異なるパターンで親水処理をした部分を形成した屋外用被覆電線の側面図。
【図７】図１に示す屋外用被覆電線とは異なるパターンで親水処理をした部分を形成した屋外用被覆電線の側面図。
【符号の説明】
【００３３】
１      屋外用被覆電線
２      導体
３      最外被覆層
４      撥水処理をした部分
５      親水処理をした部分
６      撥水層
【図１】
2005038690.tif 000003
【図２】
2005038690.tif 000004
【図３】
2005038690.tif 000005
【図４】
2005038690.tif 000006
【図５】
2005038690.tif 000007
【図６】
2005038690.tif 000008
【図７】
2005038690.tif 000009